(57)【要約】【課題】ユーザーの利便性を向上させる。【解決手段】ファイル名作成装置１は、画像読取部１０、表示部２１、検出部２２、領域指定部３１、文字認識部３２、ファイル名作成部３３を備える。画像読取部１０は、原稿を読み取って画像データを生成する。表示部２１は、表示面を有し、画像データを表示面に表示する。検出部２２は、表示面に対する被検出物の接触に基づいて、被検出物の接触位置を検出する。領域指定部３１は、被検出物の接触位置に基づいて、画像データの特定領域を指定する。文字認識部３２は、特定領域に含まれる文字列を認識する。ファイル名作成部３３は、文字列に基づいて、画像データのファイル名を作成する。【選択図】図１
2019208171.tif 000002
【特許請求の範囲】
【請求項１】
原稿を読み取って画像データを生成する画像読取部と、
表示面を有し、前記画像データを前記表示面に表示する表示部と、
前記表示面に対する被検出物の接触に基づいて、前記被検出物の接触位置を検出する検出部と、
前記被検出物の接触位置に基づいて、前記画像データの特定領域を指定する領域指定部と、
前記特定領域に含まれる文字列を認識する文字認識部と、
前記文字列に基づいて、前記画像データのファイル名を作成するファイル名作成部と
を備えるファイル名作成装置。
【請求項２】
ルール情報を記憶するルール記憶部と、
前記ルール情報を前記ルール記憶部に記憶させるルール保存部と
を更に備え、
前記ルール情報は、前記特定領域を示す情報を含む、請求項１に記載のファイル名作成装置。
【請求項３】
前記ファイル名作成部が、前記ルール情報を用いて前記ファイル名を作成する、請求項２に記載のファイル名作成装置。
【請求項４】
前記ルール情報は、文字認識の規則を含む、請求項２又は請求項３に記載のファイル名作成装置。
【請求項５】
前記ルール情報は、ファイル名編集の規則を含む、請求項２又は請求項３に記載のファイル名作成装置。
【請求項６】
ファイル名作成装置にファイル名作成処理を実行させるファイル名作成プログラムであって、
前記ファイル名作成処理は、
原稿から画像データを生成するステップと、
前記画像データの特定領域を指定するステップと、
前記特定領域に含まれる文字列を認識するステップと、
前記文字列に基づいて、前記画像データのファイル名を作成するステップと
を備える、ファイル名作成プログラム。
【請求項７】
ファイル名作成装置にファイル名を作成させるファイル名作成方法であって、
原稿から画像データを生成するステップと、
前記画像データの特定領域を指定するステップと、
前記特定領域に含まれる文字列を認識するステップと、
前記文字列に基づいて、前記画像データのファイル名を作成するステップと
含む、ファイル名作成方法。
【発明の詳細な説明】
【技術分野】
【０００１】
本発明は、ファイル名作成装置、ファイル名作成プログラム及びファイル名作成方法に関する。
【背景技術】
【０００２】
画像読取部を備えた複合機に原稿を読み込ませて、原稿から画像データを生成し、生成した画像データを利用することは、日常的に行われている。その際、複合機が作成したファイル名が画像データに付されることが一般的である。
【０００３】
例えば、特許文献１に記載のファイル名作成装置は、原稿を読み込んで画像データを生成して保存する。そして、特許文献１に記載のファイル名作成装置は、画像データの保存場所の名前と画像データから認識した文字列とに基づいて、画像データのファイル名を作成する。
【先行技術文献】
【特許文献】
【０００４】
【特許文献１】特開２０１２−１８６７１６号公報
【発明の概要】
【発明が解決しようとする課題】
【０００５】
しかしながら、特許文献１に記載のファイル名作成装置は、画像データを１度は保存しなければならず、保存していない画像データからファイル名は作成できない。したがって、利便性が低い。
【０００６】
本発明は、上記課題に鑑みてなされたものであり、ファイルを保存しなくてもファイル名を作成できることで、ユーザーの利便性が高いファイル名作成装置、ファイル名作成プログラム及びファイル名作成方法を提供することを目的としている。
【課題を解決するための手段】
【０００７】
本発明に係るファイル名作成装置は、画像読取部、表示部、検出部、領域指定部、文字認識部、ファイル名作成部を備える。前記画像読取部は、原稿を読み取って画像データを生成する。前記表示部は、表示面を有し、前記画像データを前記表示面に表示する。前記検出部は、前記表示面に対する被検出物の接触に基づいて、前記被検出物の接触位置を検出する。前記領域指定部は、前記被検出物の接触位置に基づいて、前記画像データの特定領域を指定する。前記文字認識部は、前記特定領域に含まれる文字列を認識する。前記ファイル名作成部は、前記文字列に基づいて、前記画像データのファイル名を作成する。
【０００８】
本発明に係るファイル名作成プログラムは、ファイル名作成装置にファイル名作成処理を実行させるプログラムである。前記ファイル名作成処理は、画像から画像データを生成するステップと、前記画像データの特定領域を指定するステップと、前記特定領域に含まれる文字列を認識するステップと、前記文字列に基づいて、前記画像データのファイル名を作成するステップとを備える。
【０００９】
本発明に係るファイル名作成方法は、ファイル名作成装置にファイル名を作成させる方法である。本発明に係るファイル名作成方法は、画像から画像データを生成するステップと、前記画像データの特定領域を指定するステップと、前記特定領域に含まれる文字列を認識するステップと、前記文字列に基づいて、前記画像データのファイル名を作成するステップとを含む。
【発明の効果】
【００１０】
本発明のファイル名作成装置、ファイル名作成プログラム及びファイル名作成方法によれば、ユーザーの利便性を向上できる。
【図面の簡単な説明】
【００１１】
【図１】本発明の実施形態に係るファイル名作成装置の構成を示すブロック図である。
【図２】本発明の実施形態に係るファイル名作成装置の動作の一例を示すフローチャートである。
【図３】本発明の実施形態に係るファイル名作成装置の表示部に表示される第１選択画面の一例を示す図である。
【図４】本発明の実施形態に係るファイル名作成装置の表示部に表示される第２選択画面の一例を示す図である。
【図５】本発明の実施形態に係るファイル名作成装置の表示部に表示される領域指定画面の一例を示す図である。
【図６】本発明の実施形態に係るファイル名作成装置の表示部に表示される第３選択画面の一例を示す図である。
【図７】本発明の実施形態に係るファイル名作成装置の表示部に表示される第４選択画面の一例を示す図である。
【図８】本発明の実施形態に係るファイル名作成装置の表示部に表示される第５選択画面の一例を示す図である。
【図９】本発明の実施形態に係るファイル名作成装置の表示部に表示される実行画面の一例を示す図である。
【図１０】本発明の実施形態に係るファイル名作成装置の表示部に表示される編集画面の一例を示す図である。
【発明を実施するための形態】
【００１２】
以下、本発明の実施形態について、図面（図１〜図１０）を参照しながら説明する。なお、図中、同一又は相当部分については同一の参照符号を付して説明を繰り返さない。
【００１３】
まず、図１を参照して、本実施形態に係るファイル名作成装置１の構成について説明する。図１は、ファイル名作成装置１の構成を示すブロック図である。ファイル名作成装置１は、例えば、カラー複合機である。
【００１４】
図１に示すように、ファイル名作成装置１は、画像読取部１０、操作部２０、制御部３０、記憶部４０を備える。なお、ファイル名作成装置１は、電源、通信ボード、及び画像形成部等を備える。
【００１５】
画像読取部１０は、原稿に形成された原稿画像を読み取って、原稿画像を示す原稿画像データを生成する。
【００１６】
画像読取部１０は、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサー、及びＣＣＤ（Ｃｈａｒｇｅ  Ｃｏｕｐｌｅｄ  Ｄｅｖｉｃｅ）イメージセンサーのような撮像素子によって原稿を読み取り、画像データを生成する。
【００１７】
操作部２０は、表示部２１と、検出部２２とを備えている。表示部２１は、表示面を有する。表示部２１は、例えば、液晶ディスプレー又は有機ＥＬ（Ｅｌｅｃｔｒｏ  Ｌｕｍｉｎｅｓｃｅｎｃｅ）ディスプレーである。表示部２１は、原稿画像データに対応するプレビュー画像を表示面に表示する。検出部２２は、例えば、タッチセンサーである。検出部２２は、表示部２１の表示面に設けられる。検出部２２は、タッチペン、又は指のような被検出物による表示面への接触を検出し、被検出物の接触位置を制御部３０に送信する。
【００１８】
制御部３０は、プロセッサー、及び制御記憶部を備える。制御部３０のプロセッサーは、制御記憶部に記憶されたファイル名作成プログラム等の制御プログラムを実行することによって、数値計算、情報処理、及び機器制御のような処理をする。制御部３０のプロセッサーは、例えば、ＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）である。
【００１９】
制御部３０のプロセッサーは、ファイル名作成プログラムを実行することによって、領域指定部３１、文字認識部３２、ファイル名作成部３３、及びルール保存部３４として機能する。
【００２０】
領域指定部３１は、検出部２２から送信された被検出物の接触位置に基づいて、プレビュー画像に対応する原稿画像データ中の特定領域を指定する。特定領域の位置、大きさ、形状は、特に限定されない。
【００２１】
接触位置に基づいて特定領域を指定する方法は、例えば、ユーザーが、検出部２２の２点に同時に指で接触して指定する方法、及び検出部２２の一点を指で長押したのち任意の方向に指をスライドする方法を含む。
【００２２】
文字認識部３２は、領域指定部３１によって指定された特定領域に含まれる文字列を認識する。認識の対象となる文字列は特に限定しない。例えば、ひらがな、漢字、又はアルファベットのような文字、句点、読点、ハイフン、又はコロンのような記号からなる文字列である。
【００２３】
文字認識部３２は、文字列の形態に応じて、特定の文字だけを認識してもよい。具体的には、フォント又はサイズが異なる文字から構成された文字列から、フォント及びサイズが同じ文字だけを抽出して認識してもよい。また、句読点、改行、スペース、及びアンダーバー等によって区切られた文字列から、特定の文字だけを抽出して認識してもよい。
【００２４】
ファイル名作成部３３は、文字認識部３２が認識した文字列を表示部２１に表示する。そして、ファイル名作成部３３は、ユーザーの編集指示に基づいて、表示部２１に表示されたファイル名を編集する。最後に、ファイル名作成部３３は、編集されたファイル名を原稿画像データに付加する。
【００２５】
ルール保存部３４は、ルール情報を記憶部４０に記憶させる。ルール保存部３４は、ルール情報をユーザーごとに記憶部４０に記憶させてもよい。また、ルール保存部３４は、１人のユーザーに対して複数のルール情報を記憶部４０に記憶させてもよい。ルール情報は、ファイル名を作成するルールを示す。ルール情報は、例えば、領域指定部３１によって指定された特定領域を示す情報であり、具体的には、特定領域の位置、大きさ、形状を示す情報である。
【００２６】
ルール保存部３４は、ルール情報として、文字認識部３２の文字認識の規則を記憶部４０に記憶させてもよい。文字認識の規則は、例えば、ゴシック体の文字列のみ認識する規則、アンダーバーを含む文字列からアンダーバーを除く規則を含む。
【００２７】
ルール保存部３４は、ルール情報として、ファイル名編集の規則を記憶部４０に記憶させてもよい。ファイル名編集の規則は、例えば、ユーザーの名前を示す文字列をファイル名に付加する規則、原稿を読み取った日を示す文字列をファイル名に付加する規則を含む。更に、ファイル名編集の規則は、ファイル名に含まれる会社名を示す文字列をファイル名から削除する規則、登録商標を示す文字列をファイル名から削除する規則を含む。
【００２８】
なお、制御部３０の制御記憶部は、画像読取部１０、操作部２０、電源、通信ボード、及び画像形成部等を制御するためのプログラムを記憶する。また、制御部３０の制御記憶部は、ジョブを実行するためのプログラムを記憶する。ジョブは、例えば、画像データを添付したメールを送信するジョブ、原稿画像データを制御記憶部に保存するジョブ、及びサーバー装置への画像データを保存するジョブである。
【００２９】
記憶部４０は、ルール記憶部４１を備える。ルール記憶部４１は、ルール情報を記憶する。なお、記憶部４０は、画像読取部１０、操作部２０、電源、通信ボード、及び画像形成部等の設定値を記憶する。また、記憶部４０は、数値の計算、及び数値の比較のために一時的に利用できる記憶領域を備える。
【００３０】
つぎに、図２を参照して、ファイル名作成装置１の動作を説明する。図２は、ファイル名作成装置１の動作の一例を示すフローチャートである。図２に示すフローチャートによって、ファイル名作成装置１により画像ファイルにファイル名を付し、ジョブを完了するまでの動作を説明する。
【００３１】
ユーザーが、画像読取部１０に原稿を配置して、操作部２０を操作してジョブの実行をファイル名作成装置１に指示すると、図２に示す動作が開始する。
【００３２】
ステップＳ１０１おいて、領域指定部３１が表示部２１に第１選択画面を表示する。第１選択画面は、ファイル名を領域指定で作成するか否かをユーザーが選択する画面である。第１選択画面の詳細については、図３を参照して後で説明する。
【００３３】
第１選択画面の表示中に、ユーザーの選択に基づいて、ファイル名を領域指定で作成するか否かを領域指定部３１が判定する。ファイル名を領域指定で作成すると領域指定部３１が判定した場合（ステップＳ１０１のＹｅｓ）は、ファイル名作成装置１の動作はステップＳ１０２に進む。反対に、ファイル名を領域指定で作成しないと領域指定部３１が判定した場合（ステップＳ１０１のＮｏ）は、ファイル名作成装置１の動作はステップＳ１１０に進む。
【００３４】
ステップＳ１０２において、画像読取部１０が、原稿画像を読み取って原稿画像データを生成し、領域指定部３１に送信する。ファイル名作成装置１の動作はステップＳ１０３に進む。
【００３５】
ステップＳ１０３において、領域指定部３１が表示部２１に第２選択画面を表示する。第２選択画面は、既存のルール情報を適用するか否かをユーザーが選択する画面である。第２選択画面の詳細については、図４を参照して後で説明する。
【００３６】
第２選択画面の表示中に、ユーザーの選択に基づいて、ルール情報が指定されているか否かを領域指定部３１が判定する。指定されていると領域指定部３１が判定した場合（ステップＳ１０３のＹｅｓ）は、ファイル名作成装置１の動作はステップＳ１１０に進む。反対に、ルール情報が指定されていないと領域指定部３１が判定した場合（ステップＳ１０３のＮｏ）は、ファイル名作成装置１の動作はステップＳ１０４に進む。
【００３７】
ステップＳ１０４において、画像読取部１０から受信した原稿画像データ（プレビュー画像）を、表示部２１の表示面に領域指定部３１が表示する。ファイル名作成装置１の動作はステップＳ１０５に進む。
【００３８】
ステップＳ１０５において、領域指定部３１が領域指定画面を表示部２１に表示する。領域指定画面は、プレビュー画像中のファイル名として利用する文字列を含む特定領域をユーザーが指定する画面である。領域指定画面の詳細については、図５を参照して、後で説明する。
【００３９】
領域指定画面の表示中に、検出部２２が、ユーザーの指による表示面への接触位置を検出して、検出した接触位置を制御部３０に送信する。領域指定部３１は、接触位置から特定領域を示す情報を生成して、文字認識部３２に送信する。特定領域を示す情報は、特定領域の位置、大きさ、形状等の情報を含む。ファイル名作成装置１の動作はステップＳ１０６に進む。
【００４０】
ステップＳ１０６において、文字認識部３２が、特定領域を示す情報を受信し、特定領域に含まれる文字列を文字認識する。そして、文字認識部３２が、認識結果をファイル名作成部３３に送信する。ファイル名作成装置１の動作はステップＳ１０７に進む。
【００４１】
ステップＳ１０７において、ファイル名作成部３３が第３選択画面を表示部２１に表示させる。第３選択画面は、表示部２１に表示された文字列が特定領域に含まれる文字列であるか否か、言い換えると正しい領域を指定した否かを、ユーザーが選択する画面である。第３選択画面の詳細については、図６を参照して後で説明する。
【００４２】
第３選択画面の表示中に、ユーザーの選択に基づいて、正しい領域を指定したか否かをファイル名作成部３３が判定する。正しい領域を指定したとファイル名作成部３３が判断した場合（ステップＳ１０７のＹｅｓ）、ファイル名作成装置１の動作はステップＳ１０８に進む。反対に、正しくない領域を指定したとファイル名作成部３３が判断した場合（ステップＳ１０７のＮｏ）、ファイル名作成装置１の動作はステップＳ１０５に進み、正しい領域が指定されるまで、ステップＳ１０５〜ステップＳ１０７を繰り返す。
【００４３】
ステップＳ１０８において、ファイル名作成部３３が第４選択画面を表示部２１に表示させる。第４選択画面は、認識したファイル名を編集するか否かをユーザーが選択する画面である。第４選択画面の詳細については、図７を参照して後で説明する。
【００４４】
第４選択画面の表示中に、ユーザーの選択に基づいて、ファイル名を編集するか否かをファイル名作成部３３が判定する。編集するとファイル名作成部３３が判定した場合（ステップＳ１０８のＹｅｓ）は、ファイル名作成装置１の動作はステップＳ１２１に進む。反対に、編集しないとファイル名作成部３３が判定した場合（ステップＳ１０８のＮｏ）は、ファイル名作成装置１の動作はステップＳ１０９に進む。
【００４５】
ステップＳ１０９において、ルール保存部３４が第５選択画面を表示部２１に表示させる。第５選択画面は、ルール情報を保存するか否かをユーザーが選択する画面である。第５選択画面の詳細については、図８を参照して後で説明する。
【００４６】
第５選択画面の表示中に、ユーザーの選択に基づいて、ルール情報をルール記憶部４１に保存するか否かをルール保存部３４が判定する。保存するとルール保存部３４が判定した場合（ステップＳ１０９のＹｅｓ）は、ファイル名作成装置１の動作はステップＳ１３１に進む。反対に、編集しないとルール保存部３４が判定した場合（ステップＳ１０９のＮｏ）は、ファイル名作成装置１の動作はステップＳ１１０に進む。
【００４７】
ステップＳ１１０において、ファイル名作成部３３が、原稿画像データにファイル名を付して、実行画面を表示部２１に表示させる。実行画面は、電子メールに添付して画像データを送信する画面である。実行画面の詳細については、図９を参照して、後で説明する。
【００４８】
実行画面の表示中に、ユーザーの選択に基づいて、ジョブを実行する。具体的には、ファイル名を付加した画像データをメールに添付して送信する。ファイル名作成動作は完了する。
【００４９】
ステップＳ１２１において、ファイル名作成部３３が編集画面を表示部２１に表示させる。編集画面は、ファイル名を編集する画面である。編集画面の詳細については、図１０を参照して後で説明する。ファイル名作成装置１の動作はステップＳ１０９に進む。
【００５０】
編集画面の表示中に、ユーザーの入力に基づいて、ファイル名作成部３３がファイル名を編集する。具体的には、ユーザーがソフトキーボードを介して入力した結果に応じて、ファイル名を編集する。
【００５１】
ステップＳ１３１において、ルール保存部３４がルール情報をルール記憶部４１に記憶させる。ファイル名作成装置１の動作はステップＳ１１０に進む。
【００５２】
つぎに、図３〜図１０を参照して、本実施形態の表示部２１に表示される画面を説明する。
【００５３】
図３は、第１選択画面の一例を示す図である。第１選択画面は、図２のステップＳ１０１において、ファイル名を領域指定に基づいて作成するか否かをユーザーが選択する画面である。第１選択画面は、ウィンドウＷ１を表示している。ウィンドウＷ１は、ソフトキーである第１「はい」キーＹ１及び第１「いいえ」キーＮ１を表示する。
【００５４】
ユーザーが第１「はい」キーＹ１を押すと、領域指定部３１が領域指定によりファイル名を作成する。反対に、ユーザーが第１「いいえ」キーＮ１を押すと、領域指定部３１は、ファイル名を領域指定に基づいて作成せず、例えば、ファイル名を入力するためのソフトキーボードを表示するプログラムを起動する。
【００５５】
図４は、第２選択画面の一例を示す図である。第２選択画面は、図２のステップＳ１０３において、既存のファイル名作成ルールを使用するか否かをユーザーが選択する画面である。第２選択画面は、ウィンドウＷ２を表示している。ウィンドウＷ２は、ソフトキーである第２「はい」キーＹ２及び第２「いいえ」キーＮ２を表示する。
【００５６】
ユーザーが第２「はい」キーＹ２を押すと、既に保存されているルール情報に基づいて、領域指定部３１がファイル名を作成する。反対に、ユーザーが第２「いいえ」キーＮ２を押すと、新たに指定された特定領域に含まれる文字列に基づいて、領域指定部３１がファイル名を作成する。なお、ユーザーがルール情報を保存していない場合、領域指定部３１は第２「はい」キーＹ２を表示しない。
【００５７】
図５は、領域指定画面の一例を示す図である。領域指定画面は、図２のステップＳ１０５において、ファイル名として利用する文字列を含む特定領域をユーザーが指定する画面である。領域指定画面は、プレビュー画像Ｐ及びウィンドウＷ３を表示している。プレビュー画像Ｐにおいて、特定領域ＯＣＲはプレビュー画像上に長方形で示されている。ウィンドウＷ３は、ソフトキーである第３「はい」キーＹ３及び第３「いいえ」キーＮ３を表示する。
【００５８】
ユーザーが第３「はい」キーＹ３を押すと、文字認識部３２は、長方形で囲まれた特定領域ＯＣＲの文字列を文字認識する。反対に、ユーザーが第３「いいえ」キーＮ３を押すと、文字認識部３２は、特定領域ＯＣＲに含まれる文字列を文字認識せず、特定領域ＯＣＲを示す長方形を消滅させる。
【００５９】
図６は、第３選択画面の一例を示す図である。第３選択画面は、図２のステップＳ１０６において、認識した文字列を表示する画面である。第３選択画面は、プレビュー画像Ｐ及びウィンドウＷ４を表示している。プレビュー画像Ｐにおいて、特定領域ＯＣＲはプレビュー画像上に長方形で示されている。ウィンドウＷ４は、ファイル名表示欄ＦＮ、ソフトキーである第４「はい」キーＹ４及び第４「いいえ」キーＮ４を表示する。
【００６０】
図２のステップＳ１０７において、ユーザーが第４「はい」キーＹ４を押すと、特定領域ＯＣＲの指定が完了し、ファイル名の編集が可能になる。反対に、ユーザーが第４「いいえ」キーＮ４を押すと、特定領域ＯＣＲの再指定が促される。
【００６１】
図７は、第４選択画面の一例を示す図である。第４選択画面は、図２のステップＳ１０８において、ファイル名作成部３３がファイル名を編集するか否かを、ユーザーが選択する画面である。第４選択画面は、プレビュー画像Ｐ及びウィンドウＷ５を表示している。ウィンドウＷ５は、ファイル名表示欄ＦＮ、ソフトキーである第５「はい」キーＹ５及び第５「いいえ」キーＮ５を表示する。
【００６２】
ユーザーが第５「はい」キーＹ５を押すと、ファイル名を編集できる。反対に、ユーザーが第５「いいえ」キーＮ５を押すと、ファイル名を編集できず、画像データにファイル名表示欄ＦＮに表示されているファイル名が付加される。
【００６３】
図８は、第５選択画面の一例を示す図である。第５選択画面は、図２のステップＳ１０９において、ルール情報をルール記憶部４１に保存するか否かを、ルール保存部３４がユーザーに質問する画面である。第５選択画面は、プレビュー画像Ｐ及びウィンドウＷ６を表示している。ウィンドウＷ６は、ファイル名表示欄ＦＮ、ソフトキーである第６「はい」キーＹ６及び第６「いいえ」キーＮ６を表示する。
【００６４】
ユーザーが第６「はい」キーＹ６を押すと、ルール保存部３４が新規のルール情報をルール記憶部４１に保存する。反対に、ユーザーが第６「いいえ」キーＮ６を押すと、ルール保存部３４は新規のルール情報をルール記憶部４１に保存しない。
【００６５】
図９は、実行画面の一例を示す図である。実行画面は、図２のステップＳ１１０において、ユーザーが、作成したファイル名が付いた原稿画面データを電子メールに添付して送信する際の画面である。
【００６６】
実行画面は、プレビュー画像Ｐ及びウィンドウＷ７を表示している。ウィンドウＷ７は、送信人のメールアドレスの記入欄Ａ１、受信人のメールアドレスの記入欄Ａ２、メールの件名欄Ｔ、添付ファイル表示欄ＥＡ、コメント記入欄Ｃ、メールを送信前に確認するための「メール内容の確認」キーＳＣ、及び文字入力のためのソフトキーボードＳＫを表示する。
【００６７】
ユーザーが、メールアドレス、メールの件名、及びコメントをソフトキーボードＳＫにより入力し、「メール内容の確認」キーＳＣを押すと、ファイル名が付加された画像データが電子メールに添付され、電子メールが送信可能になる。
【００６８】
図１０は、編集画面の一例を示す図である。編集画面は、図２のステップＳ１２１において、ユーザーが、ファイル名を編集する際の画面である。
【００６９】
編集画面は、プレビュー画像Ｐ及びウィンドウＷ８を表示している。ウィンドウＷ８は、ファイル名表示欄ＦＮ、ファイル名を確定するための「編集完了」キーＥＦ、及び文字入力のためのソフトキーボードＳＫを表示する。
【００７０】
ユーザーが、ファイル名表示欄ＦＮに表示されているファイル名をソフトキーボードＳＫにより編集し、「編集完了」キーＥＦを押すと、ファイル名が画像データに付加される。
【００７１】
図１〜図１０を参照して説明したように、本発明の実施形態では、表示部２１に表示されたプレビュー画像Ｐの特定領域ＯＣＲに含まれる文字列をファイル名作成に使用する。また、特定領域ＯＣＲを示す情報をルール情報として記憶できる。そして、記憶したルール情報は、別の画像データにファイル名を付ける際にも使用できる。そのため、ユーザーの利便性が向上する。
【００７２】
以上、図１〜図１０を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００７３】
（１）図１〜図１０を参照して説明したように、本発明の実施形態では、ファイル名作成装置１がカラー複合機であるが、本発明はこれに限定されない。ファイル名作成装置１が原稿を読み取って画像データを生成し、画像データにファイル名を付すのであればよい。例えば、ファイル名作成装置１がモノクロの複合機でもよい。
【００７４】
（２）図１〜図１０を参照して説明したように、本発明の実施形態では、文字認識により得られた文字列をファイル名としたが、本発明はこれに限定されない。例えば、文字認識により得られた文字列に、ユーザー名、又は読取した日時の文字列を自動的に付加してもよい。反対に、文字認識により得られた文字列から、小さなフォントで記載された文字、又は特定の字体で記載された文字を自動的に削除してもよい。
【００７５】
（３）図１〜図１０を参照して説明したように、本発明の実施形態では、画像データのファイル形式等については特に設定していないが、本発明はこれに限定されない。画像データのファイル形式、及び解像度等をユーザーが設定できるようにしてもよい。
【産業上の利用可能性】
【００７６】
本発明は、画像形成装置、スキャナー及びファクス等の分野に利用可能である。
【符号の説明】
【００７７】
１    ファイル名作成装置
１０  画像読取部
２０  操作部
２１  表示部
２２  検出部
３０  制御部
３１  領域指定部
３２  文字認識部
３３  ファイル名作成部
３４  ルール保存部
４０  記憶部
４１  ルール記憶部
【図１】
2019208171.tif 000003
【図２】
2019208171.tif 000004
【図３】
2019208171.tif 000005
【図４】
2019208171.tif 000006
【図５】
2019208171.tif 000007
【図６】
2019208171.tif 000008
【図７】
2019208171.tif 000009
【図８】
2019208171.tif 000010
【図９】
2019208171.tif 000011
【図１０】
2019208171.tif 000012